【手続補正書】
【提出日】令和2年8月12日(2020.8.12)
【手続補正１】
【補正対象書類名】明細書
【補正対象項目名】０００４
【補正方法】変更
【補正の内容】
【０００４】
別の観点では、本開示は、ビークルの暖房換気空調（ＨＶＡＣ）システムを対象とする。システムは、エンジン水温を測定するように作動可能な水温センサと、ビークルピッチを測定するように作動可能なビークルピッチセンサと、を含む。システムは、オン状態とオフ状態との間で作動可能なコンプレッサを含む。システムは更に、水温センサと、ビークルピッチセンサと、コンプレッサとに作動可能に接続されたコントローラを含む。コントローラは、実行可能な動作を開始するようにプログラムされることができる。動作は、エンジン水温が強制ＨＶＡＣ再循環吸入しきい値を満たすかを判別することを含む。動作は更に、エンジン水温が強制ＨＶＡＣ再循環吸入しきい値を満たすと判別したことに応答して、エンジン水温が高水温しきい値を満たすかを判別することを含む。動作は、エンジン水温が高水温しきい値を満たすと判別したことに応答して、ビークルピッチがビークルピッチしきい値を満たすかを判別することを含む。動作は、ビークルピッチが第１のビークルピッチしきい値を満たすと判別したことに応答して、ＡＣカットサイクルに基づきコンプレッサを作動させることを含む。ＡＣカットサイクルは、コンプレッサがオフ状態に切り換えられているあらかじめ定められた期間を含む。
【手続補正２】
【補正対象書類名】明細書
【補正対象項目名】０００５
【補正方法】変更
【補正の内容】
【０００５】
更に別の観点では、本開示は、ビークルの暖房換気空調（ＨＶＡＣ）システムを作動させる方法であって、ＨＶＡＣシステムは、オン状態とオフ状態との間で作動可能なコンプレッサを含んでいる、方法を対象とする。方法は、エンジン水温が強制ＨＶＡＣ再循環吸入しきい値を満たすかを判別することを含む。エンジン水温が強制ＨＶＡＣ再循環吸入しきい値を満たすと判別したことに応答して、方法は、エンジン水温が高水温しきい値を満たすかを判別することを含む。エンジン水温が高水温しきい値を満たすと判別したことに応答して、方法は更に、ビークルピッチが第１のビークルピッチしきい値を満たすかを判別することと、ビークルピッチが第２のビークルピッチしきい値を満たすかを判別することと、を含む。ビークルピッチが第１又は第２のビークルピッチしきい値を満たさないと判別したことに応答して、方法は、第１のＡＣカットサイクルに基づきコンプレッサを作動させることを含む。第１のＡＣカットサイクルは、コンプレッサがオフ状態に切り換えられている第１のあらかじめ定められた期間を含む。ビークルピッチが第１のビークルピッチしきい値を満たしかつ第２のビークルピッチしきい値を満たさないと判別したことに応答して、方法は、第２のＡＣカットサイクルに基づきコンプレッサを作動させることを含む。第２のＡＣカットサイクルは、コンプレッサがオフ状態に切り換えられている第２のあらかじめ定められた期間を含み、第２のあらかじめ定められた期間は第１のあらかじめ定められた期間よりも長い。ビークルピッチが第１及び第２のビークルピッチしきい値を満たすと判別したことに応答して、方法は、第３のＡＣカットサイクルに基づきコンプレッサを作動させることを含む。第３のＡＣカットサイクルは、コンプレッサがオフ状態に切り換えられている第３のあらかじめ定められた期間を含み、第３のあらかじめ定められた期間は第２のあらかじめ定められた期間よりも長い。
【手続補正３】
【補正対象書類名】明細書
【補正対象項目名】０００７
【補正方法】変更
【補正の内容】
【０００７】
この詳細な説明は、或る状態の間、ビークルのパワートレインに印加される負荷を低減する、ビークルの暖房換気空調（ＨＶＡＣ）システムの作動に関する。ＨＶＡＣシステムは、オフ（停止）状態とオン（作動）状態との間で作動可能なコンプレッサを含むことができる。システム及び方法は、エンジン水温が強制ＨＶＡＣ再循環吸入しきい値を満たすかを判別することができる。エンジン水温が強制ＨＶＡＣ再循環吸入しきい値を満たすと判別したことに応答して、エンジン水温が高水温しきい値を満たすかを判別することができる。エンジン水温が高水温しきい値を満たすと判別したことに応答して、ビークルピッチが１つ又はそれ以上のあらかじめ定められたしきい値を満たすかを判別することができる。ビークルピッチがビークルピッチしきい値を満たす又は満たさないと判別したことに応答して、コンプレッサは、コンプレッサが一定時間にわたり強制的にオフ状態にされるＡＣカットサイクルに従って作動されることができる。少なくともいくつかの例において、このようなシステム及び方法は、ＨＶＡＣシステムのコンプレッサの作動中、ビークルのパワートレインに印加される負荷を低減することができる。
【手続補正４】
【補正対象書類名】明細書
【補正対象項目名】００２７
【補正方法】変更
【補正の内容】
【００２７】
コントローラ２５０は、ＨＶＡＣシステム２００の１又はそれよりも多くの要素を、直接的に又は間接的に、アクティブ化又は非アクティブ化させることができる。本開示で使用されるように、「引き起こすないしさせる」は、直接的もしくは間接的な仕方で、イベントもしくは動作が生ずるようにし又はこれらが生ずるように強制し、強要し、管理し、命令し、指示し、かつ／もしくは、可能にすること、又は、直接的もしくは間接的な仕方で、このようなイベントもしくは動作が生じうる状態に少なくともなるようにし又はこの状態に少なくともなるように強制し、強要し、管理し、命令し、指示し、かつ／もしくは、可能にすること、を意味する。１又はそれよりも多くの構成では、コントローラ（１又は複数）２５０は、ＨＶＡＣ電子制御ユニット（ＥＣＵ）であることができる。１又はそれよりも多くの構成では、コントローラ２５０は、コンプレッサ２１２のデューティ又は押し退け量を、直接的又は間接的に、変化させることができる。
【手続補正５】
【補正対象書類名】明細書
【補正対象項目名】００３９
【補正方法】変更
【補正の内容】
【００３９】
１又はそれよりも多くの構成では、ＨＶＡＣシステム２００は、或るビークル状態の間、１又はそれよりも多くのＡＣカットサイクルに基づいて作動されることができる。「ＡＣカットサイクル」は、コンプレッサがオン状態にアクティブ化されるべきとき及びオフ状態に非アクティブ化されるべきときの情報を含むことができる。以下に説明されかつ図５から図７に示されるように、ＡＣカットサイクルは、コンプレッサの状態（オン／オフ）を時間の関数として提供することができる。非アクティブ化期間及びアクティブ化期間でもってコンプレッサ２１２を作動することにより、コンプレッサ２１２の継続アクティブ化とは対照的に、パワートレイン１０２に印加される負荷を低減することができる。１又はそれよりも多くの構成では、コントローラ（１又は複数）２５０は、コンプレッサ２１２の作動を制御することができる。例えば、コントローラ（１又は複数）２５０は、１又はそれよりも多くのＡＣカットサイクルと、水温センサ（１又は複数）２９２及び／又はビークルピッチセンサ２９４から受け取った任意の情報と、に基づいて、コンプレッサ２１２を制御することができる。
【手続補正６】
【補正対象書類名】明細書
【補正対象項目名】００４８
【補正方法】変更
【補正の内容】
【００４８】
ビークルピッチがビークルピッチしきい値を満たすと判別されると、ブロック３１６において、コンプレッサ２１２は、第２のＡＣカットサイクルにより作動されることができる。いくつかの構成では、第２のＡＣカットサイクルは、第１のＡＣカットサイクルと比べて、コンプレッサ２１２がオフ状態にされるべき期間をより長くすることができる。例えば、第２のＡＣカットサイクルは図６に示されることができる。方法３００は、次いで終了することができる。代替的に、方法３００はブロック３０２に戻ることができる。
【手続補正７】
【補正対象書類名】明細書
【補正対象項目名】００５５
【補正方法】変更
【補正の内容】
【００５５】
エンジン水温が高水温しきい値を満たすと判別されると、方法４００は、ブロック４１２に続くことができる。ビークルピッチが第１のビークルピッチしきい値を満たすかが判別されることができる。いくつかの構成では、第１のビークルピッチしきい値は、データ記憶部（１又は複数）２６０に記憶されることができる。第１のビークルピッチしきい値は、固定値又は範囲の値であることができる。代替的又は追加的には、第１のビークルピッチしきい値は、時間に対して変化することができる。第１のビークルピッチしきい値は、任意の適切な形態をとることができる。例えば、第１のビークルピッチしきい値は、水平に対する角度であることができる（例えば、１０，１５）。代替的又は追加的には、第１のビークルピッチしきい値は、パーセンテージであることができる（例えば、１０％，１５％）。コントローラ（１又は複数）２５０は、センサ２９０から受信した情報をデータ記憶部（１又は複数）２６０に記憶されている第１のビークルピッチしきい値と比較して、ビークルピッチが第１のビークルピッチ値を満たすかを判別するようにすることができる。例えば、ビークルピッチセンサ（１又は複数）２９４によって感知されたビークルピッチは、第１のビークルピッチしきい値と比較されることができる。いくつかの構成では、ビークルピッチが第１のビークルピッチしきい値よりも大きいかつ／又はこれに等しければ、第１のビークルピッチしきい値が満たされることができる。
【手続補正８】
【補正対象書類名】明細書
【補正対象項目名】００５７
【補正方法】変更
【補正の内容】
【００５７】
ビークルピッチが第１のビークルピッチしきい値を満たすと判別されると、ブロック４１６において、ビークルピッチが第２のビークルピッチしきい値を満たすかが判別されることができる。いくつかの構成では、第２のビークルピッチしきい値は、データ記憶部（１又は複数）２６０に記憶されることができる。第２のビークルピッチしきい値は、固定値又は範囲の値であることができる。代替的又は追加的には、第２のビークルピッチしきい値は、時間に対して変化することができる。第２のビークルピッチしきい値は、任意の適切な形態をとることができる。例えば、第２のビークルピッチしきい値は、水平に対する角度であることができる（例えば、１０，１５）。代替的又は追加的には、第２のビークルピッチしきい値は、パーセンテージであることができる（例えば、１０％，１５％）。コントローラ（１又は複数）２５０は、センサ２９０から受信した情報をデータ記憶部（１又は複数）２６０に記憶されている第２のビークルピッチしきい値と比較して、ビークルピッチが第２のビークルピッチ値を満たすかを判別するようにすることができる。例えば、ビークルピッチセンサ（１又は複数）２９４によって感知されたビークルピッチは、第２のビークルピッチしきい値と比較されることができる。いくつかの構成では、ビークルピッチが第２のビークルピッチしきい値よりも大きいかつ／又はこれに等しければ、第２のビークルピッチしきい値が満たされることができる。第２のビークルピッチしきい値は、第１のビークルピッチしきい値よりも大きくされることができる。例えば、第２のビークルピッチしきい値は、第１のビークルピッチしきい値のビークルピッチ値よりも大きいビークルピッチ値を含むことができる。
【手続補正９】
【補正対象書類名】特許請求の範囲
【補正対象項目名】全文
【補正方法】変更
【補正の内容】
【特許請求の範囲】
【請求項１】
ビークルの暖房換気空調（ＨＶＡＣ）システムを作動させる方法であって、前記ＨＶＡＣシステムは、オン状態とオフ状態との間で作動可能なコンプレッサを含んでおり、前記方法は、
エンジン水温が強制ＨＶＡＣ再循環吸入しきい値を満たすかを判別することと、
前記エンジン水温が前記強制ＨＶＡＣ再循環吸入しきい値を満たすと判別したことに応答して、前記エンジン水温が高水温しきい値を満たすかを判別することと、
ビークルピッチがビークルピッチしきい値を満たすかを判別することと、
前記エンジン水温が前記高水温しきい値を満たしかつ前記ビークルピッチが前記ビークルピッチしきい値を満たさないと判別したことに応答して、前記コンプレッサが前記オフ状態に切り換えられているあらかじめ定められた期間を含むＡＣカットサイクルに基づき前記コンプレッサを作動させることと、
を含む方法。
【請求項２】
前記ＡＣカットサイクルが第１のＡＣカットサイクルであり、前記あらかじめ定められた期間が第１のあらかじめ定められた期間であり、前記方法は更に、
前記ビークルピッチが前記ビークルピッチしきい値を満たすと判別したことに応答して、第２のＡＣカットサイクルに基づき前記コンプレッサを作動させる段階であって、前記第２のＡＣカットサイクルは、前記コンプレッサが前記オフ状態に切り換えられている第２のあらかじめ定められた期間を含み、前記第２のあらかじめ定められた期間は前記第１のあらかじめ定められた期間よりも長い、段階、
を含む、請求項１に記載の方法。
【請求項３】
前記ビークルピッチしきい値が第１のビークルピッチしきい値であり、前記方法は更に、
前記ビークルピッチが第２のビークルピッチしきい値を満たすかを判別する段階と、
前記ビークルピッチが前記第２のビークルピッチしきい値を満たすと判別したことに応答して、第３のＡＣカットサイクルに基づき前記コンプレッサを作動させる段階であって、前記第３のＡＣカットサイクルは、前記コンプレッサが前記オフ状態に切り換えられている第３のあらかじめ定められた期間を含み、前記第３のあらかじめ定められた期間は前記第２のあらかじめ定められた期間よりも長い、段階と、
を含む、請求項２に記載の方法。
【請求項４】
前記第１、第２、及び、第３のＡＣカットサイクルのそれぞれは、時間の関数としてコンプレッサ状態を含む、請求項３に記載の方法。
【請求項５】
前記第１のＡＣカットサイクルは、前記コンプレッサが前記オン状態と前記オフ状態との間で切り換えられる交互の期間を含み、前記コンプレッサが前記オフ状態にある前記期間はそれぞれ、前記第１のあらかじめ定められた期間にほぼ等しい、請求項４に記載の方法。
【請求項６】
前記強制ＨＶＡＣ再循環吸入しきい値は固定された温度値であり、前記高水温しきい値は固定された温度値であり、前記強制ＨＶＡＣ再循環吸入しきい値は前記高水温しきい値よりも低い、請求項１に記載の方法。
【請求項７】
ビークルの暖房換気空調（ＨＶＡＣ）システムであって、
エンジン水温を測定するように作動可能な水温センサと、
ビークルピッチを測定するように作動可能なビークルピッチセンサと、
オン状態とオフ状態との間で作動可能なコンプレッサと、
前記水温センサと、前記ビークルピッチセンサと、前記コンプレッサとに作動可能に接続されたコントローラであって、前記コントローラは、
エンジン水温が強制ＨＶＡＣ再循環吸入しきい値を満たすかを判別することと、
前記エンジン水温が前記強制ＨＶＡＣ再循環吸入しきい値を満たすと判別したことに応答して、前記エンジン水温が高水温しきい値を満たすかを判別することと、
ビークルピッチがビークルピッチしきい値を満たすかを判別することと、
前記エンジン水温が前記高水温しきい値を満たしかつ前記ビークルピッチが前記ビークルピッチしきい値を満たさないと判別したことに応答して、前記コンプレッサが前記オフ状態に切り換えられているあらかじめ定められた期間を含むＡＣカットサイクルに基づき前記コンプレッサを作動させることと、
を実行するようにプログラムされたコントローラと、
を備える、システム。
【請求項８】
前記ＡＣカットサイクルが第１のＡＣカットサイクルであり、前記あらかじめ定められた期間が第１のあらかじめ定められた期間であり、前記コントローラは更に、
前記ビークルピッチが前記ビークルピッチしきい値を満たすと判別したことに応答して、第２のＡＣカットサイクルに基づき前記コンプレッサを作動させること、
を実行するようにプログラムされており、前記第２のＡＣカットサイクルは、前記コンプレッサが前記オフ状態に切り換えられている第２のあらかじめ定められた期間を含み、前記第２のあらかじめ定められた期間は前記第１のあらかじめ定められた期間よりも長い、
請求項７に記載のシステム。
【請求項９】
前記ビークルピッチしきい値が第１のビークルピッチしきい値であり、前記コントローラは更に、
前記ビークルピッチが第２のビークルピッチしきい値を満たすかを判別することと、
前記ビークルピッチが前記第２のビークルピッチしきい値を満たすと判別したことに応答して、第３のＡＣカットサイクルに基づき前記コンプレッサを作動させることと、
を実行するようにプログラムされており、前記第３のＡＣカットサイクルは、前記コンプレッサが前記オフ状態に切り換えられている第３のあらかじめ定められた期間を含み、前記第３のあらかじめ定められた期間は前記第２のあらかじめ定められた期間よりも長い、
請求項８に記載のシステム。
【請求項１０】
前記第１、第２、及び、第３のＡＣカットサイクルのそれぞれは、時間の関数としてコンプレッサ状態を含む、請求項９に記載のシステム。
【請求項１１】
前記第１のＡＣカットサイクルは、前記コンプレッサが前記オン状態と前記オフ状態との間で切り換えられる交互の期間を含み、前記コンプレッサが前記オフ状態にある前記期間はそれぞれ、前記第１のあらかじめ定められた期間にほぼ等しい、請求項１０に記載のシステム。
【請求項１２】
前記強制ＨＶＡＣ再循環吸入しきい値は固定された温度値であり、前記高水温しきい値は固定された温度値であり、前記強制ＨＶＡＣ再循環吸入しきい値は前記高水温しきい値よりも低い、請求項７に記載のシステム。
【請求項１３】
ビークルの暖房換気空調（ＨＶＡＣ）システムを作動させる方法であって、前記ＨＶＡＣシステムは、オン状態とオフ状態との間で作動可能なコンプレッサを含んでおり、前記方法は、
エンジン水温が強制ＨＶＡＣ再循環吸入しきい値を満たすかを判別することを含み、
前記エンジン水温が前記強制ＨＶＡＣ再循環吸入しきい値を満たすと判別したことに応答して、前記エンジン水温が高水温しきい値を満たすかを判別することを含み、
前記エンジン水温が前記高水温しきい値を満たすと判別したことに応答して、
ビークルピッチが第１のビークルピッチしきい値を満たすかを判別することと、
ビークルピッチが第２のビークルピッチしきい値を満たすかを判別することと、
を含み、
前記ビークルピッチが前記第１及び前記第２のビークルピッチしきい値を満たさないと判別したことに応答して、第１のＡＣカットサイクルに基づき前記コンプレッサを作動させることを含み、前記第１のＡＣカットサイクルは、前記コンプレッサが前記オフ状態に切り換えられている第１のあらかじめ定められた期間を含み、
前記ビークルピッチが前記第１のビークルピッチしきい値を満たしかつ前記第２のビークルピッチしきい値を満たさないと判別したことに応答して、第２のＡＣカットサイクルに基づき前記コンプレッサを作動させることを含み、前記第２のＡＣカットサイクルは、前記コンプレッサが前記オフ状態に切り換えられている第２のあらかじめ定められた期間を含み、前記第２のあらかじめ定められた期間は前記第１のあらかじめ定められた期間よりも長く、
前記ビークルピッチが前記第１及び第２のビークルピッチしきい値を満たすと判別したことに応答して、第３のＡＣカットサイクルに基づき前記コンプレッサを作動させることを含み、前記第３のＡＣカットサイクルは、前記コンプレッサが前記オフ状態に切り換えられている第３のあらかじめ定められた期間を含み、前記第３のあらかじめ定められた期間は前記第２のあらかじめ定められた期間よりも長い、
方法。
【請求項１４】
前記第１のＡＣカットサイクルは、前記コンプレッサが前記オン状態と前記オフ状態との間で切り換えられる交互の期間を含み、前記コンプレッサが前記オフ状態にある前記期間はそれぞれ、前記第１のあらかじめ定められた期間にほぼ等しい、請求項１３に記載の方法。
【請求項１５】
前記第２のＡＣカットサイクルは、前記コンプレッサが前記オン状態と前記オフ状態との間で切り換えられる交互の期間を含み、前記コンプレッサが前記オフ状態にある前記期間はそれぞれ、前記第２のあらかじめ定められた期間にほぼ等しい、請求項１４に記載の方法。
【請求項１６】
前記第２のＡＣカットサイクルは、前記コンプレッサが前記オン状態と前記オフ状態との間で切り換えられる交互の期間を含み、前記コンプレッサが前記オフ状態にある前記期間はそれぞれ、前記第２のあらかじめ定められた期間にほぼ等しい、請求項５に記載の方法。
【請求項１７】
前記第３のＡＣカットサイクルは、前記コンプレッサが前記第３のＡＣカットサイクルにより作動されている全継続期間にわたり、前記コンプレッサを前記オフ状態に切り換えることを含む、請求項１６に記載の方法。
【請求項１８】
前記第２のＡＣカットサイクルは、前記コンプレッサが前記オン状態と前記オフ状態との間で切り換えられる交互の期間を含み、前記コンプレッサが前記オフ状態にある前記期間はそれぞれ、前記第２のあらかじめ定められた期間にほぼ等しい、請求項１１に記載の方法。
【請求項１９】
前記第３のＡＣカットサイクルは、前記コンプレッサが前記第３のＡＣカットサイクルにより作動されている全継続期間にわたり、前記コンプレッサを前記オフ状態に切り換えることを含む、請求項１８に記載の方法。
【請求項２０】
前記第３のＡＣカットサイクルは、前記コンプレッサが前記第３のＡＣカットサイクルにより作動されている全継続期間にわたり、前記コンプレッサを前記オフ状態に切り換えることを含む、請求項１５に記載の方法。